(57)【要約】【課題】車両の周囲を確認するため、前記車両のドアに取り付けられるドアミラーであって、車両の後方および前方も目視で確認することができるドアミラーを提供する。【解決手段】車両の周囲を確認するため、前記車両のドアに取り付けられるドアミラーであって、前記車両の後方を確認するための後方確認用鏡部材と、前記後方確認用鏡部材に対して鋭角の角度に傾けて配置された前方確認用鏡部材と、前記後方確認用鏡部材と前記前方確認用鏡部材とを支持し、前記車両に固定する支持部材と有する、ことを特徴とする。【選択図】図１
0003211761.tif 000002
【実用新案登録請求の範囲】
【請求項１】
車両の周囲を確認するため、前記車両のドアに取り付けられるドアミラーであって、
前記車両の後方を確認するための後方確認用鏡部材と、
前記後方確認用鏡部材に対して鋭角の角度に傾けて配置された前方確認用鏡部材と、
前記後方確認用鏡部材と前記前方確認用鏡部材とを支持し、前記車両に固定する支持部材と
を有する、
ことを特徴とするドアミラー。
【請求項２】
前記後方確認用鏡部材は、平面の鏡であり、
前記前方確認用鏡部材は、曲面の鏡である、
ことを特徴とする、請求項１に記載のドアミラー。
【請求項３】
前記支持部材は、前記車両の運転者の指示に応じて、前記後方確認用鏡部材と前記前方確認用鏡部材とを回転する電動回転部を更に備える、
ことを特徴とする、請求項１又は請求項２に記載のドアミラー。
【考案の詳細な説明】
【技術分野】
【０００１】
本考案は、車両用のドアミラーに関する。
【背景技術】
【０００２】
車両のドアミラーとしては、例えば後方確認用のドアミラーが知られている。特許文献１では、車体の側方に配置されるドアミラーであって、前記車体の側方から前記車体の幅方向及び上下方向の少なくとも一方向に延在するドアミラーステーの先端部に設けられるミラー本体と、前記車体と前記ミラー本体との間隔を変化させる作動部と、を備え、走行環境及び乗員状態の少なくともいずれかに応じて前記ミラー本体を作動させる、ドアミラーに関する技術を開示している。特許文献２では、電動格納機能付きのドアミラーを具備する車両において、少なくとも１つのドアミラーに設けられた障害物検知センサと、前記ドアミラー及び前記障害物検知センサに接続された制御ユニットと、前記障害物検知センサが障害物を検知したときに前記制御ユニットは前記少なくとも１つのドアミラーを格納させ、前記障害物検知センサが前記障害物を検知しなくなったときに前記制御ユニットは前記少なくとも１つのドアミラーを復帰させるようにしたことを特徴とする車両用ドアミラー制御装置。に関する技術を開示している。
【先行技術文献】
【特許文献】
【０００３】
【特許文献１】特開２０１６−１９０５９２号公報
【特許文献２】特開２０１６−１７５５５７号公報
【考案の概要】
【考案が解決しようとする課題】
【０００４】
しかしながら、特許文献１に開示されている技術では、ドアミラーを用いて、車両の前方を確認することができない。また、特許文献２に開示されている技術では、ドアミラーを用いて、車両の前方の障害物などの存在を確認できる場合があるが、その状態（形状や大きさなど）を確認できない場合がある。さらに、ドアミラーを用いて後方および前方を確認することができれば、より安全性が向上し、車両破損や事故の発生を低減できることが期待される。
【０００５】
本考案は、車両の周囲を確認するため、前記車両のドアに取り付けられるドアミラーであって、車両の後方および前方を目視で確認することができるドアミラーを提供することを目的とする。
【課題を解決するための手段】
【０００６】
上記課題を解決するために、本考案の一つの実施形態は、車両の周囲を確認するため、前記車両のドアに取り付けられるドアミラーであって、前記車両の後方を確認するための後方確認用鏡部材と、前記後方確認用鏡部材に対して鋭角の角度に傾けて配置された前方確認用鏡部材と、前記後方確認用鏡部材と前記前方確認用鏡部材とを支持し、前記車両に固定する支持部材とを有する、ことを特徴とするドアミラーを提供する。
【０００７】
本考案の他の実施形態は、上記のドアミラーであって、前記後方確認用鏡部材は、平面の鏡であり、前記前方確認用鏡部材は、曲面の鏡である、ことを特徴とするドアミラーであってもよい。
【０００８】
本考案の他の実施形態は、上記のいずれかのドアミラーであって、前記支持部材は、前記車両の運転者の指示に応じて、前記後方確認用鏡部材と前記前方確認用鏡部材とを回転する電動回転部を更に備える、ことを特徴とするドアミラーであってもよい。
【考案の効果】
【０００９】
本考案に係るドアミラーによれば、車両の後方および前方を目視で確認することができ、安全性を向上し、車両破損や事故の発生を低減することができる。
【図面の簡単な説明】
【００１０】
【図１】本考案の実施形態に係るドアミラーの使用例を説明する説明図である。
【図２】本考案の実施形態に係るドアミラーの例を説明する説明図である。
【図３】本考案の実施形態に係るドアミラーの他の例（曲面鏡）を説明する説明図である。
【図４】本考案の実施形態に係るドアミラーの他の例（電動回転）を説明する説明図である。
【考案を実施するための形態】
【００１１】
実施形態に係るドアミラーの例を用いて、本考案を説明する。なお、本考案は、以後に説明するドアミラー以外でも、前方確認用の鏡と後方確認用の鏡とを備えるドアミラーであれば、いずれのものにも用いることができる。また、ドアミラーの形状、材質は、特に限定されない。
【００１２】
以後に、本考案を説明する。
【００１３】
図１乃至図４を用いて、本考案に係るドアミラーの構成を説明する。ここで、図１は、本考案の実施形態に係るドアミラー１０（１０Ｌ、１０Ｒ）の使用例を説明する説明図である。図２（ａ）は、本考案の実施形態に係るドアミラー１０Ｒの例を説明する概略斜視図である。図２（ｂ）は、本考案の実施形態に係るドアミラー１０Ｒの例を説明する概略平面図である。図３は、本考案の実施形態に係るドアミラー１０Ａの他の例（曲面鏡）を説明する概略平面図である。図４は、本考案の実施形態に係るドアミラー１０Ｂの他の例（電動回転）を説明する概略平面図である。なお、図１等に示すドアミラーの構成等は一例であり、本考案は図１等に示すドアミラーに示すものに限定されるものではない。
【００１４】
図１に示すように、本考案に係るドアミラー１０（１０Ｌ、１０Ｒ）は、車両の周囲を目視で確認するため、車体２０の左右のドアに取り付けられるミラー（鏡など）である。ドアミラー１０Ｌは左前方の状態ＦＬおよび左後方の状態ＢＬを映し、ドアミラー１０Ｒは右前方の状態ＦＲおよび右後方の状態ＢＲを映す。本考案に係るドアミラー１０は、左右のドアに左右対称に取り付けられるため、以下の説明では右側のドアの右ドア用ドアミラーを説明し、左ドア用ドアミラーの説明を省略する。
【００１５】
図２および図１に示すように、本考案に係るドアミラー１０Ｒは、車両の後方を確認するための後方確認用鏡部材１２と、車両の前方を確認するための前方確認用鏡部材１３と、後方確認用鏡部材１２と前方確認用鏡部材１３とを支持する支持部材１１と有する。図２に示すように、後方確認用鏡部材１２は平面の鏡であり、前方確認用鏡部材１３は、平面の鏡である。
【００１６】
前方確認用鏡部材１３は、車両の前方を確認するための鏡部材である。前方確認用鏡部材１３は、図２に示すように、後方確認用鏡部材１２に対して鋭角の角度に傾けて配置されている。ここで、鋭角の角度は、車両の形状および運転席の位置並びに前方確認用鏡部材１３が映す前方の状態を考慮して、予め実験や計算で定められる角度とすることができる。なお、本考案に係る前方確認用鏡部材１３の鏡部材の材質、大きさは特に限定されない。また、本考案に係る前方確認用鏡部材１３の鏡部材の形状は、予め実験や計算で定められる形状とすることができる。
【００１７】
図３に示すように、本考案に係るドアミラー１０Ａは、曲面の鏡を備える前方確認用鏡部材１３Ａを用いてもよい。これにより、本考案に係るドアミラー１０Ａは、曲面の鏡を備える前方確認用鏡部材１３Ａを用いて、車両の前方を広範囲に映すことができる。なお、本考案に係る前方確認用鏡部材１３Ａの曲面の鏡の材質、大きさは特に限定されない。また、本考案に係る前方確認用鏡部材１３Ａの曲面の鏡の形状は、予め実験や計算で定められる形状とすることができる。
【００１８】
図１および図２に示すように、支持部材１１は、後方確認用鏡部材１２と前方確認用鏡部材１３とを支持し、車両に固定する部材である。図１に示すように、支持部材１１は、車両のドアに取り付けられる。本考案に係る支持部材１１は、運転席の斜め前や真横、斜め後ろに取り付けられるものであってもよい。これにより、運転席の真横や斜め後ろに支持部材１１を取り付けた場合には、前方確認用鏡部材１３で確認できる前方の状態の範囲を拡大することができる。図４に示すように、本考案に係るドアミラー１０Ｂは、後方確認用鏡部材１２と前方確認用鏡部材１３とを回転する電動回転部１１Ｂｍを更に備える支持部材１１Ｂを用いてもよい。これにより、本考案に係るドアミラー１０Ｂは、車両の運転者の指示に応じて、電動回転部１１Ｂｍを用いて後方確認用鏡部材１２と前方確認用鏡部材１３とを回転（図中のＭａ、Ｍｂ）することができるので、前方及び後方の所望の角度や位置の状態を目視で確認できるドアミラーを実現することができる。
【００１９】
以上のとおり、本考案に係るドアミラー１０（１０Ａ，１０Ｂ，１０Ｌ，１０Ｒ）によれば、前方確認用鏡部材（１３，１３Ａ）を用いて車両の前方を目視で確認することができる。また、本考案に係るドアミラー１０（１０Ａ，１０Ｂ，１０Ｌ，１０Ｒ）によれば、前方確認用鏡部材（１３，１３Ａ）および後方確認用鏡部材（１２）を用いて車両の前方および後方並びに側方を目視で確認することができるので、安全性を向上し、車両破損や事故の発生を低減することができる。また、本考案に係るドアミラー１０（１０Ａ，１０Ｂ，１０Ｌ，１０Ｒ）によれば、前方確認用鏡部材（１３，１３Ａ）および後方確認用鏡部材（１２）を用いて車両の前方および後方並びに側方を目視で確認することができるので、例えば車道が狭い場合などでは、車両の左前角および右前角周りの状況、後方並びに側方を確認することができ、安全性を向上し、車両破損や事故の発生を更に低減することができる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１０，１０Ａ，１０Ｂ，１０Ｌ，１０Ｒ：  ドアミラー
１１  ：  支持部材
１１Ｂ：  電動回転機能付き支持部材
１１Ｂｍ：  電動回転部
１２  ：  後方確認用鏡部材
１３，１３Ａ  ：  前方確認用鏡部材
２０  ：  車体
ＦＬ，ＦＲ，ＢＬ，ＢＲ：  状態（景色など）
Ｍａ，Ｍｂ：  回転方向
【図１】
0003211761.tif 000003
【図２】
0003211761.tif 000004
【図３】
0003211761.tif 000005
【図４】
0003211761.tif 000006